(57)【要約】【課題】インターネットサーバ上にブライダルＷｅｂページを容易に立ち上げることができるブライダルＷｅｂページ作成システムの提供。【解決手段】ブライダルＷｅｂページ作成システムＡは、管理センター側に設置されるＷＷＷサーバ１と、利用者側に設置されるパソコン２、２…２とを、インターネット回線３を介して接続してなり、管理用パソコン４によってサーバ設定され、デジタルカメラを用いて結婚式や披露宴で撮影した複数の画像を額縁画像内に見栄え良く貼り付けたブライダルＷｅｂページ５を、容易且つ早期にＷＷＷサーバ１内に開設することができる。【選択図】図１
2004213608.tif 000002
【特許請求の範囲】
【請求項１】
取得希望のドメイン名を入力するためのドメイン名入力手段と、
入力ドメイン名が未登録か否かを登録データベースを検索し、未登録の場合には、そのドメイン名を取得するドメイン名取得手段と、
クライアントがブラウザのアドレス欄に前記ドメイン名を含むＵＲＬを入力すると、ブライダルＷｅｂページを置くインターネットサーバに接続できる様に設定を行うサーバ設定手段と、
複種類用意した雛型Ｗｅｂページの中から所望のものを選択するための雛型選択手段と、
前記ブライダルＷｅｂページに付加するオプションを入力するためのオプション入力手段と、
前記雛型選択手段で選択した雛型Ｗｅｂページのファイルと、付加オプションのファイルとを前記インターネットサーバに転送してベースのＷｅｂページを作成するＷｅｂページ作成手段とを備えるブライダルＷｅｂページ作成システム。
【請求項２】
作成希望のディレクトリー名を入力するためのディレクトリー名入力手段と、
該ディレクトリー名入力手段から入力されたディレクトリー名が、ブライダルＷｅｂページを置くインターネットサーバに存在するか否かを検索し、存在していない場合には、そのディレクトリーを作成するディレクトリー作成手段と、
複種類用意した雛型Ｗｅｂページの中から所望のものを選択するための雛型選択手段と、
前記ブライダルＷｅｂページに付加するオプションを入力するためのオプション入力手段と、
前記雛型選択手段で選択した雛型Ｗｅｂページのファイルと、付加オプションのファイルとを前記インターネットサーバの前記ディレクトリーに転送してベースのＷｅｂページを作成するＷｅｂページ作成手段とを備えるブライダルＷｅｂページ作成システム。
【請求項３】
前記雛型Ｗｅｂページには、結婚式や披露宴において、デジタル記録装置を用いて記録したデジタルデータを見栄え良く貼り付けるための貼り付けスペースが設けられていることを特徴とする請求項１または請求項２に記載のブライダルＷｅｂページ作成システム。
【請求項４】
前記オプションは、画像のダウンロードやプリントアウトサービス、掲示板やチャットルームの開設、携帯端末用のブライダルＷｅｂページの別途作成、閲覧制限機能、またはメール配信機能であることを特徴とする請求項１または請求項２に記載のブライダルＷｅｂページ作成システム。
【請求項５】
前記ブライダルＷｅｂページは、結婚真近な二人に関する内容、結婚式・披露宴への案内、結婚式や披露宴の様子、友人・知人等からのメッセージ、新婚旅行に関する内容、または現在の二人に関する内容であることを特徴とする請求項１または請求項２に記載のブライダルＷｅｂページ作成システム。
【請求項６】
前記ブライダルＷｅｂページで公開するデータの種類は、静止画像、動画像、音声、テキスト文であることを特徴とする請求項１または請求項２に記載のブライダルＷｅｂページ作成システム。
【請求項７】
前記インターネットサーバは、前記ブライダルＷｅｂページを構成するページやデータの公開期間を個々に管理する期間管理手段を備え、該当するページやデータを設定した公開期間の間、アクセス可能状態にすることを特徴とする請求項１または請求項２に記載のブライダルＷｅｂページ作成システム。
【請求項８】
挙式前の打ち合わせ内容に基づいて、インターネットサーバの所定のディレクトリーに、所定のオプション機能を有するベースのＷｅｂページを作成しておくＷｅｂページ作成工程と、
結婚式や披露宴において、結婚する二人をデジタルカメラで撮影する撮影工程と、
撮影した複数の撮影画像の内、一部の撮影画像のデータを前記インターネットサーバの所定のディレクトリーに転送して前記ベースのＷｅｂページの貼り付けスペースに貼り付け、前記結婚式や前記披露宴の終了後に前記一部の撮影画像を閲覧可能にする第１のアップロード工程と、
残りの撮影画像のデータを前記インターネットサーバの所定のディレクトリーに順次転送し、前記結婚式や前記披露宴の終了から所定期間内に全ての撮影画像を閲覧可能にする第２のアップロード工程とを経て行うブライダルＷｅｂページ公開方法。
【請求項９】
取得希望のドメイン名を入力するためのドメイン名入力手段と、
入力ドメイン名が未登録か否かを登録データベースを検索し、未登録の場合には、そのドメイン名を取得するドメイン名取得手段と、
クライアントがブラウザのアドレス欄に前記ドメイン名を含むＵＲＬを入力すると、イベントＷｅｂページを置くインターネットサーバに接続できる様に設定を行うサーバ設定手段と、
複種類用意した雛型Ｗｅｂページの中から所望のものを選択するための雛型選択手段と、
前記イベントＷｅｂページに付加するオプションを入力するためのオプション入力手段と、
前記雛型選択手段で選択した雛型Ｗｅｂページのファイルと、付加オプションのファイルとを前記インターネットサーバに転送してベースのＷｅｂページを作成するＷｅｂページ作成手段とを備えるイベントＷｅｂページ作成システム。
【請求項１０】
作成希望のディレクトリー名を入力するためのディレクトリー名入力手段と、
該ディレクトリー名入力手段から入力されたディレクトリー名が、イベントＷｅｂページを置くインターネットサーバに存在するか否かを検索し、存在していない場合には、そのディレクトリーを作成するディレクトリー作成手段と、
複種類用意した雛型Ｗｅｂページの中から所望のものを選択するための雛型選択手段と、
前記イベントＷｅｂページに付加するオプションを入力するためのオプション入力手段と、
前記雛型選択手段で選択した雛型Ｗｅｂページのファイルと、付加オプションのファイルとを前記インターネットサーバの前記ディレクトリーに転送してベースのＷｅｂページを作成するＷｅｂページ作成手段とを備えるイベントＷｅｂページ作成システム。
【請求項１１】
前記雛型Ｗｅｂページには、イベント会場内の様子をデジタル記録装置で記録したデジタルデータを見栄え良く貼り付けるための貼り付けスペースが設けられていることを特徴とする請求項９または請求項１０に記載のイベントＷｅｂページ作成システム。
【請求項１２】
前記オプションは、画像のダウンロードやプリントアウトサービス、掲示板やチャットルームの開設、携帯端末用のイベントＷｅｂページの別途作成、閲覧制限機能、またはメール配信機能であることを特徴とする請求項９または請求項１０に記載のイベントＷｅｂページ作成システム。
【請求項１３】
前記イベントＷｅｂページは、イベントに参加予定の人物に関する情報、前記イベントへの参加案内、前記イベントの内容、参加予定者やイベント主催者等からのメッセージ、または現在の準備状態に関する内容であることを特徴とする請求項９または請求項１０に記載のイベントＷｅｂページ作成システム。
【請求項１４】
前記イベントＷｅｂページで公開するデータの種類は、静止画像、動画像、音声、テキスト文であることを特徴とする請求項９または請求項１０に記載のイベントＷｅｂページ作成システム。
【請求項１５】
前記インターネットサーバは、前記イベントＷｅｂページを構成するページやデータの公開期間を個々に管理する期間管理手段を備え、該当するページやデータを設定した公開期間の間、アクセス可能状態にすることを特徴とする請求項９または請求項１０に記載のイベントＷｅｂページ作成システム。
【請求項１６】
イベント開催前の打ち合わせ内容に基づいて、インターネットサーバの所定のディレクトリーに、所定のオプション機能を有するベースのＷｅｂページを作成しておくＷｅｂページ作成工程と、
イベントにおいて、イベント会場内をデジタルカメラで撮影する撮影工程と、
撮影した複数の撮影画像の内、一部の撮影画像のデータを前記インターネットサーバの所定のディレクトリーに転送して前記ベースのＷｅｂページの貼り付けスペースに貼り付け、前記イベントの終了後に前記一部の撮影画像を閲覧可能にする第１のアップロード工程と、
残りの撮影画像のデータを前記インターネットサーバの所定のディレクトリーに順次転送し、前記イベントの終了から所定期間内に全ての撮影画像を閲覧可能にする第２のアップロード工程とを経て行うイベントＷｅｂページ公開方法。
【請求項１７】
インターネットへの接続が可能な端末のブラウザのアドレス欄に所定のＵＲＬを入力すると、ＩＤコードを入力するためのＩＤコード入力欄を設けたインデックスページが表示されるイベントＷｅｂページをインターネットサーバに開設しておき、
イベントの参加権および前記イベントＷｅｂページの閲覧権の両方を保証し、可視化操作により視認可能になる参加者用のＩＤコードを印刷した参加券と、前記イベントＷｅｂページの閲覧権のみを保証し、可視化操作により視認可能になる閲覧者用のＩＤコードを印刷した閲覧券とを販売し、
前記ＩＤコード入力欄に入力されたＩＤコードが閲覧者用のＩＤコードの場合には、前記イベントＷｅｂページにおける、テキスト文による書き込みや画像のアップロードの機能を制限することを特徴とするイベントＷｅｂページ公開方法。
【発明の詳細な説明】
【技術分野】
【０００１】
本発明は、ブライダルＷｅｂページやイベントＷｅｂページの作成と、その公開方法に関する。なお、ブライダルとは、結婚式や披露宴等の結婚に係わるものである。
また、イベントとは、各種パーティー、同窓会、ショー、演奏会、運動会等の催し物である。なお、イベント会場は、屋内、屋外ホール、テント、野外を含む。
【背景技術】
【０００２】
非特許文献１の様に、従来より、結婚式や披露宴等で撮影した写真をアルバムにすることが行われている。
また、イベント関係者（イベント主催者やイベント設営者）やイベント参加者が、イベント会場内で撮影した写真をアルバムにすることも行われている。
【０００３】
【非特許文献１】〔平成１４年１１月２８日検索〕、インターネット＜ＵＲＬ：http://www2u.biglobe.ne.jp/`kenji3/album＿panfu1.html ＞
【発明の開示】
【発明が解決しようとする課題】
【０００４】
解決しようとする問題点は、下記の点である。
結婚式や披露宴の場合には、限定した冊数を業者に発注するので、限られた人（本人や親族）しかアルバムを手に入れられない。
イベントの場合でも、限定した冊数を業者に発注するので、イベント関係者や参加者しかアルバムを手に入れられない。
【０００５】
結婚式や披露宴の場合において、何らかの理由（遠隔地、仕事、急用）で出席できなかった関係者は、『結婚しました葉書』や『ウェディング姿を印刷した年賀状』等でしか当日の様子を知ることができない。
イベントの場合でも、何らかの理由（仕事、急用、体調不良、交通事情）で参加できなかった不参加者は、参加した友人からの報告や『イベントは盛大に行われました等の文言を印刷した連絡状』等でしか当日の様子を知ることができない。
【０００６】
通常、結婚式や披露宴の終了後、新郎新婦は、ハネムーンに旅立つので、結婚式や披露宴の写真を見れない場合が多い。
また、イベントの場合には、参加者であっても、飲食、スピーチ、参加者同士の会話等で、イベントの写真を見れない場合が多い。
【０００７】
本発明の第１の目的は、インターネットサーバ上にブライダルＷｅｂページを容易に立ち上げることができるブライダルＷｅｂページ作成システムの提供にある。
本発明の第２の目的は、結婚式や披露宴の終了後、早期に撮影画像を閲覧可能にできるブライダルＷｅｂページ公開方法の提供にある。
【０００８】
本発明の第３の目的は、インターネットサーバ上にイベントＷｅｂページを容易に立ち上げることができるイベントＷｅｂページ作成システムの提供にある。
本発明の第４の目的は、イベントの終了後、早期に撮影画像を閲覧可能にできるイベントＷｅｂページ公開方法の提供にある。
本発明の第５の目的は、参加券や閲覧券を買った人のみイベントＷｅｂページの閲覧ができ、且つ、閲覧券の購入者に対しては、テキスト文による書き込みや画像のアップロードの機能を制限できるイベントＷｅｂページ公開方法の提供にある。
【課題を解決するための手段】
【０００９】
本発明は、上記課題を解決するため、下記に示す構成を採用した。
（請求項１）
ブライダルＷｅｂページ作成システムは、取得希望のドメイン名を入力するためのドメイン名入力手段と、入力ドメイン名が未登録か否かを登録データベースを検索し、未登録の場合には、そのドメイン名を取得するドメイン名取得手段と、クライアントがブラウザのアドレス欄に前記ドメイン名を含むＵＲＬを入力すると、ブライダルＷｅｂページを置くインターネットサーバに接続できる様に設定を行うサーバ設定手段と、複種類用意した雛型Ｗｅｂページの中から所望のものを選択するための雛型選択手段と、前記ブライダルＷｅｂページに付加するオプションを入力するためのオプション入力手段と、前記雛型選択手段で選択した雛型Ｗｅｂページのファイルと、付加オプションのファイルとを前記インターネットサーバに転送してベースのＷｅｂページを作成するＷｅｂページ作成手段とを備える。
【００１０】
（請求項２）
ブライダルＷｅｂページ作成システムは、作成希望のディレクトリー名を入力するためのディレクトリー名入力手段と、該ディレクトリー名入力手段から入力されたディレクトリー名が、ブライダルＷｅｂページを置くインターネットサーバに存在するか否かを検索し、存在していない場合には、そのディレクトリーを作成するディレクトリー作成手段と、複種類用意した雛型Ｗｅｂページの中から所望のものを選択するための雛型選択手段と、前記ブライダルＷｅｂページに付加するオプションを入力するためのオプション入力手段と、前記雛型選択手段で選択した雛型Ｗｅｂページのファイルと、付加オプションのファイルとを前記インターネットサーバの前記ディレクトリーに転送してベースのＷｅｂページを作成するＷｅｂページ作成手段とを備える。
【００１１】
（請求項３）
ブライダルＷｅｂページ作成システムは、上記（１）または（２）の構成を有し、前記雛型Ｗｅｂページには、結婚式や披露宴において、デジタル記録装置を用いて記録したデジタルデータを見栄え良く貼り付けるための貼り付けスペースが設けられている。
【００１２】
（請求項４）
ブライダルＷｅｂページ作成システムは、上記（１）または（２）の構成を有し、前記オプションは、画像のダウンロードやプリントアウトサービス、掲示板やチャットルームの開設、携帯端末用のブライダルＷｅｂページの別途作成、閲覧制限機能、またはメール配信機能である。
【００１３】
（請求項５）
ブライダルＷｅｂページ作成システムは、上記（１）または（２）の構成を有し、ブライダルＷｅｂページは、結婚真近な二人に関する内容、結婚式・披露宴への案内、結婚式や披露宴の様子、友人・知人等からのメッセージ、新婚旅行に関する内容、または現在の二人に関する内容である。
【００１４】
（請求項６）
ブライダルＷｅｂページ作成システムは、上記（１）または（２）の構成を有し、前記ブライダルＷｅｂページで公開するデータの種類は、静止画像、動画像、音声、テキスト文である。
【００１５】
（請求項７）
ブライダルＷｅｂページ作成システムは、上記（１）または（２）の構成を有し、前記インターネットサーバは、前記ブライダルＷｅｂページを構成するページやデータの公開期間を個々に管理する期間管理手段を備え、該当するページやデータを設定した公開期間の間、アクセス可能状態にする。
【００１６】
（請求項８）
ブライダルＷｅｂページ公開方法は、挙式前の打ち合わせ内容に基づいて、インターネットサーバの所定のディレクトリーに、所定のオプション機能を有するベースのＷｅｂページを作成しておくＷｅｂページ作成工程と、結婚式や披露宴において、結婚する二人をデジタルカメラで撮影する撮影工程と、撮影した複数の撮影画像の内、一部の撮影画像のデータを前記インターネットサーバの所定のディレクトリーに転送して前記ベースのＷｅｂページの貼り付けスペースに貼り付け、前記結婚式や前記披露宴の終了後に前記一部の撮影画像を閲覧可能にする第１のアップロード工程と、残りの撮影画像のデータを前記インターネットサーバの所定のディレクトリーに順次転送し、前記結婚式や前記披露宴の終了から所定期間内に全ての撮影画像を閲覧可能にする第２のアップロード工程とを経て行う。
【００１７】
（請求項９）
イベントＷｅｂページ作成システムは、取得希望のドメイン名を入力するためのドメイン名入力手段と、入力ドメイン名が未登録か否かを登録データベースを検索し、未登録の場合には、そのドメイン名を取得するドメイン名取得手段と、クライアントがブラウザのアドレス欄に前記ドメイン名を含むＵＲＬを入力すると、イベントＷｅｂページを置くインターネットサーバに接続できる様に設定を行うサーバ設定手段と、複種類用意した雛型Ｗｅｂページの中から所望のものを選択するための雛型選択手段と、前記イベントＷｅｂページに付加するオプションを入力するためのオプション入力手段と、前記雛型選択手段で選択した雛型Ｗｅｂページのファイルと、付加オプションのファイルとを前記インターネットサーバに転送してベースのＷｅｂページを作成するＷｅｂページ作成手段とを備える。
【００１８】
（請求項１０）
イベントＷｅｂページ作成システムは、作成希望のディレクトリー名を入力するためのディレクトリー名入力手段と、該ディレクトリー名入力手段から入力されたディレクトリー名が、イベントＷｅｂページを置くインターネットサーバに存在するか否かを検索し、存在していない場合には、そのディレクトリーを作成するディレクトリー作成手段と、複種類用意した雛型Ｗｅｂページの中から所望のものを選択するための雛型選択手段と、前記イベントＷｅｂページに付加するオプションを入力するためのオプション入力手段と、前記雛型選択手段で選択した雛型Ｗｅｂページのファイルと、付加オプションのファイルとを前記インターネットサーバの前記ディレクトリーに転送してベースのＷｅｂページを作成するＷｅｂページ作成手段とを備える。
【００１９】
（請求項１１）
イベントＷｅｂページ作成システムは、上記（９）または（１０）の構成を有し、前記雛型Ｗｅｂページには、イベント会場内の様子をデジタル記録装置で記録したデジタルデータを見栄え良く貼り付けるための貼り付けスペースが設けられている。
【００２０】
（請求項１２）
イベントＷｅｂページ作成システムは、上記（９）または（１０）の構成を有し、前記オプションは、画像のダウンロードやプリントアウトサービス、掲示板やチャットルームの開設、携帯端末用のイベントＷｅｂページの別途作成、閲覧制限機能、またはメール配信機能である。
【００２１】
（請求項１３）
イベントＷｅｂページ作成システムは、上記（９）または（１０）の構成を有し、前記イベントＷｅｂページは、イベントに参加予定の人物に関する内容、前記イベントへの案内、前記イベントの内容、参加予定者やイベント主催者等からのメッセージ、または現在の準備状態に関する内容であることを特徴とする。
【００２２】
（請求項１４）
イベントＷｅｂページ作成システムは、上記（９）または（１０）の構成を有し、前記イベントＷｅｂページで公開するデータの種類は、静止画像、動画像、音声、テキスト文であることを特徴とする。
【００２３】
（請求項１５）
イベントＷｅｂページ作成システムは、上記（９）または（１０）の構成を有し、前記インターネットサーバは、前記イベントＷｅｂページを構成するページやデータの公開期間を個々に管理する期間管理手段を備え、該当するページやデータを設定した公開期間の間、アクセス可能状態にすることを特徴とする。
【００２４】
（請求項１６）
イベントＷｅｂページ公開方法は、イベント開催前の打ち合わせ内容に基づいて、インターネットサーバの所定のディレクトリーに、所定のオプション機能を有するベースのＷｅｂページを作成しておくＷｅｂページ作成工程と、イベントにおいて、イベント会場内をデジタルカメラで撮影する撮影工程と、撮影した複数の撮影画像の内、一部の撮影画像のデータを前記インターネットサーバの所定のディレクトリーに転送して前記ベースのＷｅｂページの貼り付けスペースに貼り付け、前記イベントの終了後に前記一部の撮影画像を閲覧可能にする第１のアップロード工程と、残りの撮影画像のデータを前記インターネットサーバの所定のディレクトリーに順次転送し、前記イベントの終了から所定期間内に全ての撮影画像を閲覧可能にする第２のアップロード工程とを経て行う。
【００２５】
（請求項１７）
イベントＷｅｂページ公開方法は、インターネットへの接続が可能な端末のブラウザのアドレス欄に所定のＵＲＬを入力すると、ＩＤコードを入力するためのＩＤコード入力欄を設けたインデックスページが表示されるイベントＷｅｂページをインターネットサーバに開設しておき、イベントの参加権および前記イベントＷｅｂページの閲覧権の両方を保証し、可視化操作により視認可能になる参加者用のＩＤコードを印刷した参加券と、前記イベントＷｅｂページの閲覧権のみを保証し、可視化操作により視認可能になる閲覧者用のＩＤコードを印刷した閲覧券とを販売し、前記ＩＤコード入力欄に入力されたＩＤコードが閲覧者用のＩＤコードの場合には、前記イベントＷｅｂページにおける、テキスト文による書き込みや画像のアップロードの機能を制限することを特徴とする。
【発明の効果】
【００２６】
［請求項１について］
取得希望のドメイン名をドメイン名入力手段から入力する。
ドメイン名取得手段は、入力ドメイン名が未登録か否かを登録データベースを検索し、未登録の場合には、そのドメイン名を取得する。
【００２７】
サーバ設定手段は、クライアントがブラウザのアドレス欄にドメイン名を含むＵＲＬを入力すると、ブライダルＷｅｂページを置くインターネットサーバに接続できる様にインターネットサーバの設定を行う。複種類用意した雛型Ｗｅｂページの中から、雛型選択手段により所望のものを選択する。
【００２８】
ブライダルＷｅｂページに付加するオプションをオプション入力手段から入力する。なお、オプションが不要の場合には、オプションを選択しない。
Ｗｅｂページ作成手段は、雛型選択手段で選択した雛型Ｗｅｂページのファイルと、付加するオプションのファイルとをインターネットサーバに転送してベースのＷｅｂページを作成する。
ブライダルＷｅｂページ作成システムを用いれば、インターネットサーバ上に、希望ドメイン名のブライダルＷｅｂページを、容易且つ早期に立ち上げることができる。
【００２９】
［請求項２について］
作成希望のディレクトリー名をディレクトリー名入力手段から入力する。
ディレクトリー作成手段は、ディレクトリー名入力手段から入力されたディレクトリー名が、ブライダルＷｅｂページを置くインターネットサーバに存在するか否かを検索する。そして、存在していない場合には、そのディレクトリー名のディレクトリーをインターネットサーバに作成する。
【００３０】
複種類用意した雛型Ｗｅｂページの中から雛型選択手段により所望のものを選択する。ブライダルＷｅｂページに付加するオプションをオプション入力手段から入力する。なお、オプションが不要の場合には、オプションを選択しない。
【００３１】
Ｗｅｂページ作成手段は、雛型選択手段で選択した雛型Ｗｅｂページのファイルと、付加オプションのファイルとをインターネットサーバの、作成したディレクトリー名のディレクトリーに転送してベースのＷｅｂページを作成する。
【００３２】
ブライダルＷｅｂページ作成システムを用いれば、インターネットサーバ上に、希望ディレクトリー名のブライダルＷｅｂページを、容易且つ早期に立ち上げることができる。  
【００３３】
［請求項３について］
結婚式や披露宴において、デジタル記録装置を用いて記録したデジタルデータを見栄え良く貼り付けるための貼り付けスペースを雛型Ｗｅｂページに設けているので、オプションを付加したベースのＷｅｂページにも貼り付けスペースが確保される。
【００３４】
このため、ベースのＷｅｂページの貼り付けスペースに、結婚式や披露宴において、デジタル記録装置を用いて記録したデジタルデータを張り付ければ、見栄えが良いブライダルＷｅｂページが容易且つ早期に完成する。
【００３５】
［請求項４について］
ブライダルＷｅｂページに付加可能なオプションは、画像のダウンロードやプリントアウトサービス、掲示板やチャットルームの開設、携帯端末用のブライダルＷｅｂページの別途作成、閲覧制限機能、またはメール配信機能である。
【００３６】
ブライダルＷｅｂページに画像を貼り付ける場合には、配置や表示速度を考慮して、貼り付ける画像の大きさや画質を抑えている。このため、クライアント側でブライダルＷｅｂページをプリントアウトしても、期待する大きさの画像や画質が得られない。
【００３７】
しかし、ブライダルＷｅｂページに、画像のダウンロードサービスのオプションが付加されていれば、クライアントは大きなサイズや高画質の画像を得る（有料／無料）ことができる。
【００３８】
また、ブライダルＷｅｂページに、画像のプリントアウトサービスのオプションが付加されていれば、カラープリンター等を持っていないクライアントでも、プリントアウト（有料／無料）された所望の画像を郵送等で受け取ることができる。
【００３９】
掲示板やチャットルームの開設オプションが付加され、ブライダルＷｅｂページに掲示板やチャットルームが作成されていれば、クライアント同士、新郎新婦とクライアントの間で、情報のやり取りを行うことができる。
【００４０】
携帯端末用のブライダルＷｅｂページの別途作成オプションが付加され、携帯端末用のブライダルＷｅｂページが作成されていれば、携帯端末しか持っていないクライアントでも、携帯端末専用のブライダルＷｅｂページを閲覧することができる。
【００４１】
閲覧制限機能のオプションが付加されていれば、クライアントの種別に応じて、ブライダルＷｅｂページの閲覧を制限することができる。
【００４２】
メール配信機能のオプションが付加されていれば、ブライダルＷｅｂページを更新した場合や連絡を取りたい場合等にクライアントにメールを送ることができる。
【００４３】
［請求項５について］
ブライダルＷｅｂページは、結婚真近な二人に関する内容、結婚式・披露宴への案内、結婚式や披露宴の様子、友人・知人等からのメッセージ、新婚旅行に関する内容、または現在の二人に関する内容である。
【００４４】
なお、ブライダルＷｅｂページは、公開する時期（下記に例を示す）に適した内容にする。
挙式前、挙式中、挙式後
新婚旅行前、新婚旅行中、新婚旅行後
【００４５】
［請求項６について］
ブライダルＷｅｂページに公開するデータの種類は、静止画像、動画像、音声、またはテキスト文である。
【００４６】
［請求項７について］
ブライダルＷｅｂページを開設したインターネットサーバは、ブライダルＷｅｂページを構成するページやデータの公開期間を個々に管理する期間管理手段を備える。
そして、該当するページやデータを設定した公開期間の間（後述する）、アクセス可能状態にする。
【００４７】
これにより、クライアントは、公開期間の間、該当するページやデータを見ることができ、役目を終える（公開期間の終了後）と、該当するページやデータが見れなくなる。
【００４８】
（ブライダルＷｅｂページの開設日から結婚式の前日迄）
結婚真近な二人に関する内容
【００４９】
（ブライダルＷｅｂページの開設日から出欠確認の締切日迄）
結婚式・披露宴への案内
【００５０】
（結婚式や披露宴の終了から１年間）
結婚式や披露宴の様子
新婚旅行に関する内容
【００５１】
（新婚旅行から帰って来た日から５年間）
友人・知人等からのメッセージ
現在の二人に関する内容
【００５２】
［請求項８について］
以下に示すブライダルＷｅｂページ公開方法を用いてブライダルＷｅｂページを開設すれば、結婚式や披露宴の終了後、早期に撮影画像をクライアントに閲覧させることができる。
【００５３】
挙式前（挙式より数日〜数カ月前）に、以下に示す件について、結婚する二人と打ち合わせる。
・独自のドメインでサーバを立ち上げるか、既存のドメインに希望するディレクトリーを作成するか。
・ブライダルＷｅｂページを、どの様なデザインにするか。
・ブライダルＷｅｂページにどの様なオプション機能を付加するか。
【００５４】
（Ｗｅｂページ作成工程）
上記の様な、挙式前の打ち合わせ内容に基づいて、インターネットサーバの所定のディレクトリーに、所定のオプション機能を有するベースのＷｅｂページを作成する。なお、撮影画像を見栄え良く貼り付けるための貼り付けスペースを予めベースのＷｅｂページに設けておく。
【００５５】
（撮影工程）
結婚式や披露宴において、結婚する二人をデジタルカメラで撮影する。
【００５６】
（第１のアップロード工程）
デジタルカメラで撮影した複数の撮影画像の内、一部の撮影画像のデータをインターネットサーバの所定のディレクトリーに転送してベースのＷｅｂページの貼り付けスペースに貼り付け、結婚式や披露宴の終了後に一部の撮影画像を閲覧可能にする。
【００５７】
これにより、結婚式や披露宴の終了後に一部の撮影画像をクライアントが閲覧する（結婚した二人も閲覧可）ことができる。
【００５８】
（第２のアップロード工程）
残りの撮影画像のデータをインターネットサーバの所定のディレクトリーに順次転送する。
これにより、結婚式や披露宴の終了から所定期間内に全ての撮影画像をクライアントが閲覧する（結婚した二人も閲覧可）ことができる。
【００５９】
［請求項９について］
取得希望のドメイン名をドメイン名入力手段から入力する。
ドメイン名取得手段は、入力ドメイン名が未登録か否かを登録データベースを検索し、未登録の場合には、そのドメイン名を取得する。
【００６０】
サーバ設定手段は、クライアントがブラウザのアドレス欄にドメイン名を含むＵＲＬを入力すると、イベントＷｅｂページを置くインターネットサーバに接続できる様にインターネットサーバの設定を行う。
【００６１】
複種類用意した雛型Ｗｅｂページの中から雛型選択手段により所望のものを選択する。  イベントＷｅｂページに付加するオプションをオプション入力手段から入力する。なお、オプションが不要の場合には、オプションを選択しない。
【００６２】
Ｗｅｂページ作成手段は、雛型選択手段で選択した雛型Ｗｅｂページのファイルと、付加するオプションのファイルとをインターネットサーバに転送してベースのＷｅｂページを作成する。
【００６３】
イベントＷｅｂページ作成システムを用いれば、インターネットサーバ上に、希望ドメイン名のイベントＷｅｂページを、容易且つ早期に立ち上げることができる。
【００６４】
［請求項１０について］
作成希望のディレクトリー名をディレクトリー名入力手段から入力する。
ディレクトリー作成手段は、ディレクトリー名入力手段から入力されたディレクトリー名が、イベントＷｅｂページを置くインターネットサーバに存在するか否かを検索する。そして、存在していない場合には、そのディレクトリー名のディレクトリーをインターネットサーバに作成する。
【００６５】
複種類用意した雛型Ｗｅｂページの中から雛型選択手段により所望のものを選択する。  イベントＷｅｂページに付加するオプションをオプション入力手段から入力する。なお、オプションが不要の場合には、オプションを選択しない。
【００６６】
Ｗｅｂページ作成手段は、雛型選択手段で選択した雛型Ｗｅｂページのファイルと、付加オプションのファイルとをインターネットサーバの、作成したディレクトリー名のディレクトリーに転送してベースのＷｅｂページを作成する。
イベントＷｅｂページ作成システムを用いれば、インターネットサーバ上に、希望ディレクトリー名のイベントＷｅｂページを、容易且つ早期に立ち上げることができる。
【００６７】
［請求項１１について］
イベント会場内の様子をデジタル記録装置を用いて記録したデジタルデータを見栄え良く貼り付けるための貼り付けスペースを雛型Ｗｅｂページに設けているので、オプションを付加したベースのＷｅｂページにも貼り付けスペースが確保される。
【００６８】
このため、ベースのＷｅｂページの貼り付けスペースに、イベント会場内の様子をデジタル記録装置を用いて記録したデジタルデータを貼り付ければ、見栄えが良いイベントＷｅｂページが容易且つ早期に完成する。
【００６９】
［請求項１２について］
イベントＷｅｂページに付加可能なオプションは、画像のダウンロードやプリントアウトサービス、掲示板やチャットルームの開設、携帯端末用のイベントＷｅｂページの別途作成、閲覧制限機能、またはメール配信機能である。
【００７０】
イベントＷｅｂページに画像を貼り付ける場合には、配置や表示速度を考慮して、貼り付ける画像の大きさや画質を抑えている。このため、クライアント側でイベントＷｅｂページをプリントアウトしても、期待する大きさの画像や画質が得られない。
【００７１】
しかし、イベントＷｅｂページに、画像のダウンロードサービスのオプションが付加されていれば、クライアントは大きなサイズや高画質の画像を得る（有料／無料）ことができる。
【００７２】
また、イベントＷｅｂページに、画像のプリントアウトサービスのオプションが付加されていれば、カラープリンター等を持っていないクライアントでも、プリントアウト（有料／無料）された所望の画像を郵送等で受け取ることができる。
【００７３】
掲示板やチャットルームの開設オプションが付加され、イベントＷｅｂページに掲示板やチャットルームが作成されていれば、クライアント同士で、情報のやり取りを行うことができる。
【００７４】
携帯端末用のイベントＷｅｂページの別途作成オプションが付加され、携帯端末用のイベントＷｅｂページが作成されていれば、携帯端末しか持っていないクライアントでも、携帯端末専用のイベントＷｅｂページを閲覧することができる。
【００７５】
閲覧制限機能のオプションが付加されていれば、クライアントの種別に応じて、イベントＷｅｂページの閲覧を制限することができる。
メール配信機能のオプションが付加されていれば、イベントＷｅｂページを更新した場合や連絡を取りたい場合等に、クライアントにメールを送ることができる。
【００７６】
［請求項１３について］
イベントＷｅｂページは、イベントに参加予定の人物に関する情報、イベントへの参加案内、イベントの内容、参加予定者やイベント主催者等からのメッセージ、または現在の準備状態に関する内容である。なお、イベントＷｅｂページは、公開する時期（イベント開催前、イベント開催中、イベント終了後）に適した内容にする。
【００７７】
［請求項１４について］
イベントＷｅｂページに公開するデータの種類は、静止画像、動画像、音声、またはテキスト文である。
【００７８】
［請求項１５について］
イベントＷｅｂページを開設したインターネットサーバは、イベントＷｅｂページを構成するページやデータの公開期間を個々に管理する期間管理手段を備える。
そして、該当するページやデータを設定した公開期間の間（後述する）、アクセス可能状態にする。
【００７９】
これにより、クライアントは、公開期間の間、該当するページやデータを見ることができ、役目を終える（公開期間の終了後）と、該当するページやデータが見れなくなる。
【００８０】
（イベントＷｅｂページの開設日からイベント開催日の前日）
イベントの内容に関する情報
（イベントＷｅｂページの開設日から出欠確認の締切日迄）
イベント参加への案内
【００８１】
（イベント開催中）
イベントの様子
（イベントの終了から次回のイベント開催日迄）
イベント参加者やイベント主催者からのメッセージ
次回のイベント案内
【００８２】
［請求項１６について］
以下に示すイベントＷｅｂページ公開方法を用いてイベントＷｅｂページを開設すれば、イベントの終了後、早期に撮影画像をクライアントに見せることができる。
【００８３】
イベント開催前（イベント開催日より数日〜数カ月前）に、以下に示す件について、イベントの主催者と打ち合わせる。
・独自のドメインでサーバを立ち上げるか、既存のドメインに希望するディレクトリーを作成するか。
・イベントＷｅｂページを、どの様なデザインにするか。
・イベントＷｅｂページにどの様なオプション機能を付加するか。
【００８４】
（Ｗｅｂページ作成工程）
上記の様な、イベント開催前の打ち合わせ内容に基づいて、インターネットサーバの所定のディレクトリーに、所定のオプション機能を有するベースのＷｅｂページを作成する。なお、撮影画像を見栄え良く貼り付けるための貼り付けスペースを予めベースのＷｅｂページに設けておく。
【００８５】
（撮影工程）
イベント会場内をデジタルカメラで撮影する。
（第１のアップロード工程）
デジタルカメラで撮影した複数の撮影画像の内、一部の撮影画像のデータをインターネットサーバの所定のディレクトリーに転送してベースのＷｅｂページの貼り付けスペースに貼り付け、イベントの終了後に一部の撮影画像を閲覧可能にする。
これにより、イベントの終了後、早期に、一部の撮影画像をクライアントに見せることができる。
【００８６】
（第２のアップロード工程）
残りの撮影画像のデータをインターネットサーバの所定のディレクトリーに順次転送する。
これにより、イベントの終了から所定期間内に全ての撮影画像をクライアントに見せることができる。
【００８７】
［請求項１７について］
インターネットへの接続が可能な端末のブラウザのアドレス欄に所定のＵＲＬを入力すると、ＩＤコードを入力するためのＩＤコード入力欄を設けたインデックスページが表示されるイベントＷｅｂページをインターネットサーバに開設しておく。
【００８８】
インターネットサーバにパーティーＷｅｂページを開設後に、参加券および閲覧券を販売する。
参加券は、イベントの参加権およびイベントＷｅｂページの閲覧権の両方を保証し、可視化操作により視認可能になる参加者用のＩＤコードが印刷されている。閲覧券は、イベントＷｅｂページの閲覧権のみを保証し、可視化操作により視認可能になる参加者用のＩＤコードが印刷されている。なお、可視化操作とは、ＩＤコードの印刷箇所を覆う不可視層や不可視層を擦ったり、めくったりして剥がし、ＩＤコードが可視できる様に露出させることである。
【００８９】
参加券を購入した参加者は、イベントＷｅｂページのインデックスページに接続し、参加者用のＩＤコードをＩＤコード入力欄に入力する。
閲覧券を購入した閲覧者は、イベントＷｅｂページのインデックスページに接続し、閲覧者用のＩＤコードをＩＤコード入力欄に入力する。
なお、ＩＤコード入力欄に入力されたＩＤコードが閲覧者用のＩＤコードの場合には、イベントＷｅｂページにおける、テキスト文による書き込みや画像のアップロードの機能が制限される。
【００９０】
これにより、悪意を持つ閲覧者による、掲示板等への不適切な書き込みや不適切な画像のアップロードを防止することができる。
【発明を実施するための最良の形態】
【００９１】
イベントＷｅｂページ作成システムは、作成希望のディレクトリー名を入力するためのディレクトリー名入力手段と、該ディレクトリー名入力手段から入力されたディレクトリー名が、イベントＷｅｂページを置くインターネットサーバに存在するか否かを検索し、存在していない場合には、そのディレクトリーを作成するディレクトリー作成手段と、複種類用意した雛型Ｗｅｂページの中から所望のものを選択するための雛型選択手段と、イベントＷｅｂページに付加するオプションを入力するためのオプション入力手段と、雛型選択手段で選択した雛型Ｗｅｂページのファイルと、付加オプションのファイルとをインターネットサーバのディレクトリーに転送してベースのＷｅｂページを作成するＷｅｂページ作成手段とを備え、このイベントＷｅｂページ作成システムを用いれば、インターネットサーバ上に、希望ディレクトリー名のイベントＷｅｂページを、容易且つ早期に立ち上げることができる。
【実施例１】
【００９２】
本発明の実施例１（請求項１、３、４、５、６、８に対応）を、図１〜図５に基づいて説明する。
【００９３】
図１に示すブライダルＷｅｂページ作成システムＡは、管理センター側に設置されるＷＷＷサーバ１と、利用者側に設置されるパソコン２、２…２と、インターネット回線３とにより構成されている。なお、４は管理センター側に設置される管理用パソコンである。  
【００９４】
ＷＷＷサーバ１は、ルータ１１およびモデム１２を介して高速のインターネット回線３に常時接続されており、固定のグローバルＩＰアドレス（例；２１０．２３０．２１９．１００）が割り当てられている。また、ＷＷＷサーバ１は、パソコン２、２…２から閲覧可能なブライダルＷｅｂページ５を開設している。
【００９５】
図２のログイン用のページ５１は、関係者がパスワードで閲覧を可能にするためのページである。
インターネットの性質上、ＷｅｂページのＵＲＬが判れば、誰でもそのＷｅｂページが閲覧可能である。このため、サーチエンジン等で偶然に辿り着いたネットサーファーが悪意を持っている場合には、掲示板等に不適切な書き込みをする虞がある。これを防止するためにログイン用のページ５１（オプション機能）を設けている。
【００９６】
また、通常のＩＤ＆パスワード入力画面であると、Ｗｅｂページの雰囲気が悪くなるので、マウスのポインタを画像５２の所へ持っていくと、吹き出し状のバルーン５３で『メールや招待状を見て合言葉を入れてね』と説明が出る様にしている。
【００９７】
なお、テキスト入力フィールド５４に入力するパスワードは、電子メールで送ったり、結婚式や披露宴の招待状に書いたり、式場で公開したりして、ブライダルＷｅｂページ５のログイン用のページ５１のＵＲＬ５５（例えば、http://www.taro-hanako.jp/index.html )とともに関係者に知らせる。パスワードは、例えば、“東京特許許可局”である。
【００９８】
更に、結婚式や披露宴を行う前に、ブライダルＷｅｂページ５を関係者に公開する場合には、画像５２、６２に替えて、二人（例えば、特許太郎＆発明花子）の似顔絵画像を貼り付けておく。また、文言６０を別のものにしておき、『速報画像を見る』６６の画像リンクを無効にしておく。
【００９９】
ログインに成功すると、図３のページ６１に移動する。このページ６１は、画像６２に加え、『二人のプロフィール』６３、『予定表』６４、『談話室』６５、『速報画像を見る』６６、『手』６７の画像リンクが設定されている。
【０１００】
画像６２は、他の画像（画像５２、５６、５７、５８）と同様、結婚式や披露宴でデジタルカメラで撮影した写真の一部である。
【０１０１】
『二人のプロフィール』６３の画像リンクは、閲覧者がマウスクリックすることにより、二人の名前（旧姓）、生年月日、血液型、趣味、勤務先等を記載したプロフィール紹介ページ（図示せず）に移動させるためのものである。
【０１０２】
『予定表』６４の画像リンクは、閲覧者がマウスクリックすることにより、結婚式と披露宴の場所や日時、出欠確認の締め切り、新婚旅行の行先や日程等を記載した、図示しない予定表ページに移動させるためのものである。
【０１０３】
『談話室』６５の画像リンクは、閲覧者がマウスクリックすることにより、テキスト文の書き込みや閲覧ができる、図示しない掲示板（オプション機能）に移動させるためのものである。
【０１０４】
なお、掲示板には、その時点（挙式の前、後、ハネムーン後）に応じて、下記の内容を書き込む様にすると良い。
・結婚真近な二人に関する内容
・結婚式や披露宴の感想
・友人・知人等からのメッセージ
・新婚旅行に関する内容
・現在の二人（例えば、特許太郎＆特許花子）に関する内容
【０１０５】
『速報画像を見る』６６の画像リンクは、マウスクリックすることにより、結婚式や披露宴で撮影した画像５６、５７、５８を、近傍に所定の説明文ｂ１、ｂ２、ｂ３を記載した額縁画像ｇ１、ｇ２、ｇ３の中に貼り付けた、速報画像のページ７０に移動させるためのものである。
【０１０６】
なお、図２〜図４に示すブライダルＷｅｂページ５（ページ５１、６１、７０）は、結婚式・披露宴の終了から二時間経過した時点の状態であり、計五枚の画像（撮影画像）５２、５６、５７、５８、６２がアップロードされている。
【０１０７】
ブライダルＷｅｂページ５のベースは、挙式前（数週間〜数カ月前）に二人と打ち合わせした内容に基づいて、公開日迄に管理会社がＷＷＷサーバ１に設置したものである。
【０１０８】
『手』６７の画像リンクは、マウスクリックすることにより、結婚式や披露宴で撮影した全ての画像を、近傍に所定の説明文を記載した額縁画像の中に貼り付けたページ（図示せず）に移動させるためのものである。なお、この画像リンクは、ＷＷＷサーバ１の所定のディレクトリーに、撮影した全ての画像のアップロードが完了する迄（最大三日間）は無効状態にしておく。
【０１０９】
管理用パソコン４は、ルータ４１およびモデム４２を介して高速のインターネット回線３に常時接続されている。また、ＷＷＷサーバ１と直接、接続されている。この管理用パソコン４には、ＯＳや各種ドライバとともに、ドメイン名取得プログラム、サーバ設定プログラムの一部、Ｗｅｂページ作成プログラムからなるブライダルＷｅｂページ設置用のソフトウェアー４３がインストールされている。ソフトウェアー４３は、本発明のドメイン名入力手段、ドメイン名取得手段、サーバ設定手段、雛型選択手段、オプション入力手段、Ｗｅｂページ作成手段に相当する。
【０１１０】
ドメイン名取得プログラムは、まず、結婚を控えた二人から要望があった取得希望のドメイン名の候補（３〜１０程度）を、管理センターの担当者が入力するための入力欄をモニター４０に表示する（図５のステップｓ１）。
【０１１１】
つぎに、所定のデータベースにインターネット回線３を介して接続し、担当者が入力欄に入力した第１候補が未登録か否かを検索する（ステップｓ２）。
登録データベースは、例えば、JPNIC Whois Gateway 
＜http://whois.nic.ad.jp/cgi-bin/whois＿gw＞を使用する。
【０１１２】
未登録の場合には、所定のドメイン登録サイトにインターネット回線３を介して接続し、予め二人に記入してもらった必要事項（住所、管理者、必要年数等）を自動で送信し、オンラインで料金を立て替えて支払い、そのドメイン名を取得する（ステップｓ３）。
【０１１３】
ドメイン登録サイトは、例えば、register com
＜http://www.register.com/＞を使用する。
更に、取得したドメイン名と、固定のグローバルＩＰアドレス（本実施例では、２１０．２３０．２１９．１００）を、ドメイン登録サイトを介してＤＮＳサーバに登録し、ドメイン名とＩＰアドレスとの関連付けを行う。
【０１１４】
また、既に登録済の場合には、担当者が次の候補を入力する旨の表示とともに、入力欄をモニター４０に表示する。
【０１１５】
サーバ設定プログラムのプログラム本体は、ＷＷＷサーバ１に、サーバアプリケーションソフトとともにインストールされており、管理用パソコン４からの指示によりプログラム本体が起動してサーバ設定を行う（ステップｓ４）。また、ルータの設定も行う。
これにより、クライアントがパソコン２のブラウザのアドレス欄に、そのドメイン名のＵＲＬを入力すると、ＷＷＷサーバ１に繋がる様になる。
【０１１６】
サーバ設定が完了すると、ソフトウェアー４３のＷｅｂページ作成プログラムが起動し、雛型Ｗｅｂページの種類を選択するラジオボタン（図示せず）をモニター４０に表示し、結婚を控えた二人から聞いておいた内容に基づいて、ラジオボタンを担当者が選択する（ステップｓ５）。
【０１１７】
つぎに、Ｗｅｂページ作成プログラムが、雛型Ｗｅｂページに付加するオプションを選択（複数可）する複数のチェックボックス（図示せず）をモニター４０に表示し、結婚を控えた二人から聞いておいた付加希望オプションのチェックボックスに担当者がチェックを入れる（ステップｓ６）。
【０１１８】
つぎに、Ｗｅｂページ作成プログラムが、ＷＷＷサーバ１に必要な複数のディレクトリーを作成する様に指示し、作成後、雛型Ｗｅｂページのファイルおよび付加するオプション機能のファイルを管理用パソコン４からＷＷＷサーバ１に転送する（Ｗｅｂページ作成工程；ステップｓ７）。また、ＣＧＩやＳＳＩが動く様に、オプション機能を構成するファイルのパーミッションの設定を変更する。
【０１１９】
雛型Ｗｅｂページの各ページには、結婚式や披露宴において、デジタルカメラで撮影した画像を後から見栄え良く貼り付けるための貼り付けスペースが設けられている。
貼り付けスペースは、具体的には、説明文ｂ１、ｂ２、ｂ３を記載した額縁画像ｇ１、ｇ２、ｇ３や、額縁画像６８、６９である。
【０１２０】
なお、結婚式・披露宴が終了して、ＷＷＷサーバ１に速報画像をアップロードする迄は、額縁画像６８、６９内に、画像５２、６２の替わりに、二人の似顔絵を貼り付けている。また、『速報画像を見る』６６および『手』６７の画像リンクは無効にされている。
【０１２１】
結婚式・披露宴が終了すると、額縁画像６８、６９、ｇ１、ｇ２、ｇ３内に貼り付けるのに適した画像を、結婚式・披露宴中にデジタルカメラで撮影（撮影工程）したデジタル画像の中から担当者が選び、そのデジタル画像を処理（減色、圧縮、サイズ調整等）した後、管理用パソコン４側からＷＷＷサーバ１の所定のディレクトリーにアップロードする（第１のアップロード工程；ステップｓ８）。このアップロードは、結婚式・披露宴終了から三時間以内に完了させる。
【０１２２】
デジタルカメラで撮影した全てのデジタル画像を処理（減色、圧縮、サイズ調整等）した後、担当者が、管理用パソコン４側からＷＷＷサーバ１の所定のディレクトリーにアップロードする。また、額縁画像や説明文を担当者が決定し、所定のディレクトリーにアップロードする（第２のアップロード工程；ステップｓ９）。ステップｓ９のアップロードは、結婚式・披露宴終了から三日以内に完了させる。
【０１２３】
なお、結婚式・披露宴中に、動画像や音声も収録しておき、上記ステップｓ９のアップロードで、デジタル画像（静止画像）以外に、それらのデジタルデータをアップロードしても良い。
【０１２４】
本実施例のブライダルＷｅｂページ作成システムＡは、以下の利点を有する。
〔ア〕ブライダルＷｅｂページ作成システムＡを用いれば、ＷＷＷサーバ１に、希望するドメイン名で、ブライダルＷｅｂページ５を、容易且つ早期に立ち上げることができる。  
【０１２５】
これにより、何らかの理由（遠隔地、仕事、急用）で出席できなかった関係者も、結婚式や披露宴で撮影された写真を、自宅のパソコン２のモニターで早期に見ることができる。
また、ハネムーンに旅立った新郎新婦も、ハネムーン先のパソコン２のモニターで、結婚式や披露宴で撮影された写真を見ることができる。
【０１２６】
〔イ〕雛型Ｗｅｂページの各ページに、結婚式や披露宴において、デジタルカメラで撮影した画像を後から見栄え良く貼り付けるための貼り付けスペース（額縁画像ｇ１、ｇ２、ｇ３、６８、６９に相当）を設けている。
【０１２７】
このため、結婚式や披露宴の終了後に、デジタルカメラで撮影した画像の一部を、上記額縁画像ｇ１、ｇ２、ｇ３、６８、６９に貼り付けることにより、見栄えが良いブライダルＷｅｂページ５を容易、且つ早期（三時間以内）に立ち上げることができる。
【０１２８】
〔ウ〕掲示板の開設オプションを付加し、ブライダルＷｅｂページ５に掲示板を開設しているので、関係者同士、新郎新婦と関係者の間で、情報のやり取りを行うことができる。  なお、新婚旅行先にパソコン２があれば、新婚旅行先からでも、関係者と情報のやり取りを行うことができる。
【０１２９】
〔エ〕ログイン用のページ５１を設けているので、二人のプロフィールが関係者以外に漏れたり、掲示板への不適切な書き込みを防止できる。
また、ログイン用のページ５１は、マウスのポインタを画像５２の所へ持っていくと、吹き出し状のバルーン５３で説明が出る構成であるのでＷｅｂページの雰囲気が悪くならない。
【実施例２】
【０１３０】
つぎに、本発明の実施例２（請求項２、３、４、５、６、８に対応）を、図１、図３、図５に基づいて説明する。
【０１３１】
本実施例のブライダルＷｅｂページ作成システムＢは、以下の点がブライダルＷｅｂページ作成システムＡと異なる。
【０１３２】
ＷＷＷサーバ１は、ルータ１１およびモデム１２を介して高速のインターネット回線３に常時接続されており、固定のグローバルＩＰアドレス（例；２１０．１７２．６４．８１）が割り当てられている。
このＷＷＷサーバ１には、パソコン２、２…２から閲覧可能な、複数組のブライダルＷｅｂページ５が開設されている。
【０１３３】
本実施例のブライダルＷｅｂページ作成システムＢでは、低料金でブライダルＷｅｂページ５を開設するため、管理会社のドメイン名をレンタル使用し、且つ、ログイン用のページ５１を省略している。
【０１３４】
このブライダルＷｅｂページ５のＵＲＬ（例  http://www.hide-color.co.jp/web-sweet-memory/taro-hanako/index.html ) は、電子メールで送ったり、結婚式や披露宴の招待状に書いたり、式場で公開したりして関係者に知らせる。
【０１３５】
なお、ブライダルＷｅｂページ作成システムＡと同様、結婚式や披露宴を行う前に、ブライダルＷｅｂページ５を関係者に公開する場合には、画像６２に替えて、二人の似顔絵画像を貼り付けておく。また、文言６０を別のものにしておき、『速報画像を見る』６６の画像リンクを無効にしておく。
【０１３６】
『談話室』６５の画像リンクは、閲覧者がマウスクリックすることにより、短いテキスト文の書き込みや閲覧ができる、図示しないチャットルーム（オプション機能）に移動させるためのものである。
【０１３７】
本実施例では、ログイン用のページ５１を省略しているので、『二人のプロフィール』６３の画像リンクをマウスクリックして移動するプロフィール紹介ページに記載する事項は、下記の様に簡略化するのが好ましい。
二人の名前（旧姓）、生まれた年、趣味、職種
【０１３８】
管理用パソコン４は、ルータ４１およびモデム４２を介して高速のインターネット回線３に常時接続されている。また、ＷＷＷサーバ１と直接、接続されている。この管理用パソコン４には、ＯＳや各種ドライバとともに、ディレクトリー作成プログラムの一部とＷｅｂページ作成プログラムとからなるブライダルＷｅｂページ設置用のソフトウェアー４３がインストールされている。ソフトウェアー４３は、本発明のディレクトリー名入力手段、ディレクトリー作成手段、雛型選択手段、オプション入力手段、Ｗｅｂページ作成手段に相当する。
【０１３９】
管理用パソコン４側にインストールされたディレクトリー作成プログラムは、まず、結婚を控えた二人から要望があった取得希望のディレクトリー名の候補（３〜１０程度）を、管理センターの担当者が入力するための入力欄をモニター４０に表示する（図５のステップｓ’１）。
【０１４０】
つぎに、ディレクトリー作成プログラムは、入力欄から入力された、ディレクトリー名の第１候補が、ブライダルＷｅｂページ５を置くＷＷＷサーバ１に存在するか否かを検索する（ステップｓ’２）。
そして、存在していない場合には、そのディレクトリー名のディレクトリーをＷＷＷサーバ１に作成する（ステップｓ’３）。以降、実施例１と同様にステップｓ５〜ｓ９を実行する。
【０１４１】
また、既に登録済の場合には、担当者が次の候補を入力する旨の表示とともに、入力欄をモニター４０に表示する。
【０１４２】
本実施例のブライダルＷｅｂページ作成システムＢは、以下の利点を有する。
〔オ〕ブライダルＷｅｂページ作成システムＢを用いれば、ＷＷＷサーバ１に、希望するディレクトリー名で、ブライダルＷｅｂページ５を、容易且つ早期に、低コストで立ち上げることができる。なお、ドメイン名維持費用が不要であるので維持費も安い。
【０１４３】
これにより、ブライダルＷｅｂページ作成システムＡで作成したブライダルＷｅｂページ５に比べてＵＲＬが長くなるものの、何らかの理由（遠隔地、仕事、急用）で出席できなかった関係者も、結婚式や披露宴で撮影された写真を、自宅のパソコン２のモニターで早期に見ることができる。
また、ハネムーンに旅立った新郎新婦も、ハネムーン先のパソコン２のモニターで、結婚式や披露宴で撮影された写真を見ることができる。
【０１４４】
〔カ〕雛型Ｗｅｂページの各ページに、結婚式や披露宴において、デジタルカメラで撮影した画像を後から見栄え良く貼り付けるための貼り付けスペース（額縁画像ｇ１、ｇ２、ｇ３、６８に相当）を設けている。
【０１４５】
このため、結婚式や披露宴の終了後に、デジタルカメラで撮影した画像の一部を、上記額縁画像ｇ１、ｇ２、ｇ３、６８に張り付けることにより、見栄えが良いブライダルＷｅｂページ５を容易、且つ早期（三時間以内）に立ち上げることができる。
【０１４６】
〔キ〕チャットルーム開設オプションを付加し、ブライダルＷｅｂページ５にチャットルームを開設しているので、関係者同士、新郎新婦と関係者の間で、情報のやり取りを行うことができる。
なお、新婚旅行先にパソコン２があれば、新婚旅行先からでも、関係者と情報のやり取りを行うことができる。
【実施例３】
【０１４７】
つぎに、本発明の実施例３（請求項９、１１〜１７に対応）を、図１、図５〜図８に基づいて説明する。
イベントＷｅｂページ作成システムＣは、ハードウェアーの構成が実施例１、２のブライダルＷｅｂページ作成システムＡ、Ｂと略同じであり、管理センター側に設置されるＷＷＷサーバ１と、利用者側に設置されるパソコン２、２…２と、インターネット回線３とにより構成されている。なお、４は管理センター側に設置される管理用パソコンである（図１参照）。
【０１４８】
ＷＷＷサーバ１は、ルータ１１およびモデム１２を介して高速のインターネット回線３に常時接続されており、固定のグローバルＩＰアドレスが割り当てられている。また、ＷＷＷサーバ１は、パソコン２、２…２からログイン用のインデックスページ８１が閲覧可能なイベントＷｅｂページ８を開設している。
【０１４９】
ログイン用のインデックスページ８１は、図６に示す様に、パーティー参加者やＷｅｂ閲覧者が、パーティー参加者用のＩＤ、Ｗｅｂ閲覧者用のＩＤでログインするためのページである。
インターネットの性質上、イベントＷｅｂページ８のＵＲＬが判れば、誰でもそのＷｅｂページが閲覧可能である。このため、サーチエンジン等で偶然に辿り着いたネットサーファーが悪意を持っている場合には、掲示板等に不適切な書き込みをする虞がある。これを防止するためにログイン用のインデックスページ８１を設けている。
なお、テキスト入力フィールド８２に入力するＩＤは、図７に示す、パーティー券８３や閲覧券８４に印刷してある英数字である。
【０１５０】
パーティー券８３（参加券）は、パーティーへ参加できる権利およびログイン後のページ８５を閲覧できる権利の両方が保証されている。このパーティー券８３にはパーティー参加者用のＩＤコードが印刷されているが、購入時点では、アルミニウム（銀色）の被覆層（図示せず）で被覆されて非視認状態になっている。なお、パーティー券８３には、その他、イベントＷｅｂページ８のインデックスページ８１のＵＲＬ、開催場所、および開催日時等が記載されている。
【０１５１】
また、閲覧券８４は、ログイン後のページ８５を閲覧できる権利が保証されている。この閲覧券８４にはＷｅｂ閲覧者用のＩＤコードが印刷されているが、購入時点では、アルミニウム（銀色）の被覆層（図示せず）で被覆されて非視認状態になっている。なお、閲覧券８４には、その他、イベントＷｅｂページ８のインデックスページ８１のＵＲＬや注意等が記載されている。
なお、ＵＲＬの一例は、http://www.eventalbum.jp/party/ である。
【０１５２】
パーティー券８３や閲覧券８４の銀色部分をコイン等で擦る可視化操作を行うと、アルミニウムの被覆層が剥がれて、パーティー参加者用またはＷｅｂ閲覧者用のＩＤコードが視認可能になる。
例えば、パーティー券８３では、パーティー参加者用のＩＤコードの最初の３桁がＡｔｔであり、次の４桁が参加人数を把握するための数字（０００１〜９９９９）、最後の４桁は前の４桁の数字に対応するアルファベットである。一例として、『Ａｔｔ００５３Ｂａｘｑ』である。
【０１５３】
また、閲覧券８４では、Ｗｅｂ閲覧者用のＩＤコードの最初の３桁がＷｅｂであり、７桁目〜１２桁目の数字は閲覧者人数を把握するための数字（０００００１〜９９９９９９）、４桁目〜６桁目と１３桁目〜１５桁目は上記数字に対応するアルファベットである。一例として、『ＷｅｂＡＴｑ１５０３２０Ｚｐｉ』である。
【０１５４】
パーティー券８３は、被覆層を付けた状態で、チケットセンターやコンビニエンスストアー等で、対面販売や電話販売等により、申し込み期間中、設定枚数販売される。
また、閲覧券８４は、被覆層を付けた状態で、チケットセンターやコンビニエンスストアー等で、対面販売や電話販売等により、イベントＷｅｂページ８の存続期間の間、設定枚数販売される。
【０１５５】
ログイン用のインデックスページ８１には、口込みやサーチエンジン等で辿り着いたネットサーファー等が多数、訪れるので、これらの訪問者がパーティーへ参加したくなったり、ログイン後のページ８５が見たくなる様に、案内板の背後に、料理等を陳列したテーブルが見える様に、入口のドアが半開きになっている画像８６が貼り付けられている。
テキスト入力フィールド８２に、パーティー参加者用またはＷｅｂ閲覧者用のＩＤコードを入力してログインに成功すると、図８のログイン後のページ８５に移動する。
【０１５６】
このログイン後のページ８５には、図８に示す様に、『パーティーの詳細』、『ライブカメラ』、『写真の閲覧＆注文』、『掲示板』、および『ホテルＨＩＤＥの御案内』のハイパーリンクが設定されている。なお、パーティー開催前には、『ライブカメラ』および『写真の閲覧＆注文』のページへのハイパーリンクは無効になっている。
【０１５７】
『パーティーの詳細』をマウスクリックすると、パーティーの詳細な内容や参加予定の有名人の名前等を記載した別のページに移動する。
パーティー開催中において、『ライブカメラ』をマウスクリックすると、パーティー会場内に設置されたライブカメラ（複数台可）を遠隔操作してライブ映像が見れる別のページに移動する。
【０１５８】
パーティー終了後（当日可）に『写真の閲覧＆注文』をマウスクリックすると、パーティー会場内においてカメラマンがデジタルカメラで撮影した写真の閲覧や、気に入った写真の注文ができる別のページが開く。なお、パーティー終了後から所定時間（例えば二時間）程度で、数枚の速報画像のアップロードが可能である。
【０１５９】
『掲示板』をマウスクリックすると、掲示板のページに移動する。なお、Ｗｅｂ閲覧者用のＩＤコードでログインしている場合には掲示板の閲覧のみ可能であり、パーティー参加者用のＩＤコードでログインしている場合には閲覧とテキスト文での書き込みが可能である。
『ホテルＨＩＤＥの御案内』をマウスクリックすると、ホテルＨＩＤＥの地図、完備している設備名、および利用料金等が記載されているページに移動する。
【０１６０】
なお、イベントＷｅｂページ８のベースは、パーティー開催前（数日〜数カ月前）に、パーティー主催者と管理会社との打ち合わせした内容に基づいて、公開日迄に管理会社がＷＷＷサーバ１に設置したものである。
【０１６１】
管理用パソコン４は、ルータ４１およびモデム４２を介して高速のインターネット回線３に常時接続されている。また、ＷＷＷサーバ１と直接、接続されている。この管理用パソコン４には、ＯＳや各種ドライバとともに、ドメイン名取得プログラム、サーバ設定プログラムの一部、Ｗｅｂページ作成プログラムからなるイベントＷｅｂページ設置用のソフトウェアー４３がインストールされている。ソフトウェアー４３は、本発明のドメイン名入力手段、ドメイン名取得手段、サーバ設定手段、雛型選択手段、オプション入力手段、Ｗｅｂページ作成手段に相当する（図１参照）。
【０１６２】
ドメイン名取得プログラムは、先ず、パーティー主催者から要望があった取得希望のドメイン名の候補（３〜１０程度）を、管理センターの担当者が入力するための入力欄をモニター４０に表示する（図５のステップｓ１）。
【０１６３】
つぎに、所定のデータベースにインターネット回線３を介して接続し、担当者が入力欄に入力した第１候補が未登録か否かを検索する（ステップｓ２）。
ドメイン名の候補の一例として、eventalbum.jp を入力する。
登録データベースは、例えば、JPNIC Whois Gateway 
＜http://whois.nic.ad.jp/cgi-bin/whois＿gw＞を使用する。
【０１６４】
未登録の場合には、所定のドメイン登録サイトにインターネット回線３を介して接続し、予めパーティー主催者に記入してもらった必要事項（住所、管理者、必要年数等）を自動で送信し、オンラインで料金を立て替えて支払い、そのドメイン名を取得する（ステップｓ３）。
【０１６５】
ドメイン登録サイトは、例えば、register com
＜http://www.register.com/＞を使用する。
更に、取得したドメイン名と、固定のグローバルＩＰアドレス（本実施例では、２１０．２３０．２１９．１００）を、ドメイン登録サイトを介してＤＮＳサーバに登録し、ドメイン名とＩＰアドレスとの関連付けを行う。
【０１６６】
また、既に登録済の場合には、担当者が次の候補を入力する旨の表示とともに、入力欄をモニター４０に表示する。
【０１６７】
サーバ設定プログラムのプログラム本体は、サーバアプリケーションソフトとともにＷＷＷサーバ１にインストールされており、管理用パソコン４からの指示によりプログラム本体が起動してサーバ設定を行う（ステップｓ４）。また、ルータの設定も行う。  これにより、クライアント（パーティー参加者やＷｅｂ閲覧者）がパソコン２のブラウザのアドレス欄に、そのドメイン名のＵＲＬを入力すると、ＷＷＷサーバ１に繋がる様になる。  
【０１６８】
サーバ設定が完了すると、ソフトウェアー４３のＷｅｂページ作成プログラムが起動し、雛型Ｗｅｂページの種類を選択するラジオボタン（図示せず）をモニター４０に表示し、パーティー主催者から聞いておいた内容に基づいて、ラジオボタンを担当者が選択する（ステップｓ５）。
【０１６９】
つぎに、Ｗｅｂページ作成プログラムが、雛型Ｗｅｂページに付加するオプションを選択（複数可）する複数のチェックボックス（図示せず）をモニター４０に表示し、パーティー主催者から聞いておいた付加希望オプションのチェックボックスに担当者がチェックを入れる（ステップｓ６）。
【０１７０】
つぎに、Ｗｅｂページ作成プログラムが、ＷＷＷサーバ１に必要な複数のディレクトリーを作成する様に指示し、作成後、雛型Ｗｅｂページのファイルおよび付加するオプション機能のファイルを管理用パソコン４からＷＷＷサーバ１に転送する（Ｗｅｂページ作成工程；ステップｓ７）。また、ＣＧＩやＳＳＩが動く様に、オプション機能を構成するファイルのパーミッションの設定を変更する。
【０１７１】
雛型Ｗｅｂページの各ページには、パーティー会場内においてデジタルカメラを用いて撮影した画像を後から見栄え良く貼り付けるための額縁状の枠を有する貼り付けスペースが設けられている。
パーティーが終了すると、額縁状の枠内に貼り付けるのに適したデジタル撮影画像を、撮影画像の中から担当者が選び、そのデジタル撮影画像を処理（減色、圧縮、サイズ調整等）した後、管理用パソコン４側からＷＷＷサーバ１の所定のディレクトリーにアップロードする（第１のアップロード工程；ステップｓ８）。このアップロードは、パーティー終了から三時間以内に完了させる。
【０１７２】
デジタルカメラで撮影した全てのデジタル撮影画像を処理（減色、圧縮、サイズ調整等）した後、担当者が、管理用パソコン４側からＷＷＷサーバ１の所定のディレクトリーにアップロードする。また、枠内に貼り付ける画像や説明文を担当者が決定し、所定のディレクトリーにアップロードする（第２のアップロード工程；ステップｓ９）。ステップｓ９のアップロードは、パーティー終了から三日以内に完了させる。
なお、パーティー中に、動画像や音声も収録しておき、図５のステップｓ９のアップロードで、デジタル画像（静止画像）以外に、それらのデジタルデータをアップロードしても良い。
【０１７３】
本実施例のイベントＷｅｂページ作成システムＣは、以下の利点を有する。
〔ク〕イベントＷｅｂページ作成システムＣを用いれば、ＷＷＷサーバ１に、希望するドメイン名で、イベントＷｅｂページ８を、容易且つ早期に立ち上げることができる。
なお、何らかの理由（仕事、急用、体調不良、交通事情）でパーティーに参加できなかった場合でも、パーティー会場内で撮影された写真を、自宅のパソコン２のモニターで早期に見ることができる。
【０１７４】
〔ケ〕雛型Ｗｅｂページの各ページに、パーティー会場内において、デジタルカメラで撮影した画像を後から見栄え良く貼り付けるための額縁状の枠を有する貼り付けスペースを設けている。
このため、パーティー終了後に、デジタルカメラで撮影した画像の一部を上記枠に貼り付けることにより、見栄えが良いイベントＷｅｂページ８を容易、且つ早期（三時間以内）に立ち上げることができる。
【０１７５】
〔コ〕掲示板の開設オプションを付加し、イベントＷｅｂページ８に掲示板を開設しているので、パーティー参加予定者（パーティー終了後はパーティー参加者）同士で、情報のやり取りを行うことができる。
なお、Ｗｅｂ閲覧者用のＩＤコードでは掲示板に書き込みができないので、不適切な書き込みを防止できる。
【実施例４】
【０１７６】
つぎに、本発明の実施例４（請求項１０〜１７に対応）を、図１、図５〜図８に基づいて説明する。
本実施例のイベントＷｅｂページ作成システムＤは、以下の点がイベントＷｅｂページ作成システムＣと異なる。
【０１７７】
ＷＷＷサーバ１は、ルータ１１およびモデム１２を介して高速のインターネット回線３に常時接続されており、固定のグローバルＩＰアドレス（例；２１０．１７２．６４．８１）が割り当てられている。
【０１７８】
このＷＷＷサーバ１には、パソコン２、２…２から閲覧可能な、複数組のイベントＷｅｂページ８が開設されている。
【０１７９】
本実施例のイベントＷｅｂページ作成システムＤでは、低料金でイベントＷｅｂページ５を開設するため、管理会社のドメイン名（例えば、eventalbum.jp ）をレンタル使用している。
【０１８０】
管理用パソコン４は、ルータ４１およびモデム４２を介して高速のインターネット回線３に常時接続されている。また、ＷＷＷサーバ１と直接、接続されている。この管理用パソコン４には、ＯＳや各種ドライバとともに、ディレクトリー作成プログラムの一部とＷｅｂページ作成プログラムとからなるイベントＷｅｂページ設置用のソフトウェアー４３がインストールされている。ソフトウェアー４３は、本発明のディレクトリー名入力手段、ディレクトリー作成手段、雛型選択手段、オプション入力手段、Ｗｅｂページ作成手段に相当する。
【０１８１】
管理用パソコン４側にインストールされたディレクトリー作成プログラムは、まず、パーティー主催者から要望があった取得希望のディレクトリー名の候補（３〜１０程度）を、管理センターの担当者が入力するための入力欄をモニター４０に表示する（図５のステップｓ’１）。
ディレクトリー名の候補の一例は、party である。
【０１８２】
つぎに、ディレクトリー作成プログラムは、入力欄から入力された、ディレクトリー名の第１候補が、イベントＷｅｂページ８を置くＷＷＷサーバ１に存在するか否かを検索する（ステップｓ’２）。
そして、存在していない場合には、そのディレクトリー名のディレクトリーをＷＷＷサーバ１に作成する（ステップｓ’３）。なお、既に登録済の場合には、担当者が次の候補を入力する旨の表示とともに、入力欄をモニター４０に表示する。以降、実施例３と同様にステップｓ５〜ｓ９を実行する。
【０１８３】
本実施例のイベントＷｅｂページ作成システムＤは、以下の利点を有する。
〔サ〕イベントＷｅｂページ作成システムＤを用いれば、ＷＷＷサーバ１に、希望するディレクトリー名で、イベントＷｅｂページ８を、容易且つ早期に、低コストで立ち上げることができる。なお、ドメイン名維持費用が不要であるので維持費も安い。
【０１８４】
本発明は、上記実施例以外に、つぎの実施態様を含む。
ａ．インターネット対応の携帯電話器から閲覧可能な専用のブライダルＷｅｂページやイベントＷｅｂページを別途作成しても良い（請求項４、１２に対応）。
ブライダルＷｅｂページ５やイベントＷｅｂページ８から、高品質・大サイズでの画像のダウンロードサービス、製本化したアルバムやプリントアウト品の郵送サービスを依頼可能にしても良い（請求項４、１２に対応）。
【０１８５】
ｂ．第１〜第４実施例では、管理用パソコン４が、図５のステップｓ１〜ｓ９、ｓ’１〜ｓ’３を略自動で行っているが、管理用のパソコン４を用いず、全て手動で行っても良い（請求項８、１６に対応）。
【０１８６】
ｃ．第１〜第４実施例において、ＷＷＷサーバ１に、ブライダルＷｅｂページ５やイベントＷｅｂページ８を構成するページやデータの公開期間を個々に管理する期間管理機能（期間管理手段）を付加しても良い。
この場合には、個々に設定した公開期間の間だけ、該当するページやデータをアクセス可能にすることができる（請求項７、１５に対応）。
【０１８７】
ｄ．結婚式、披露宴、またはパーティー等において、静止画像をフィルム式のカメラで記録しても良く、動画像をアナログ式のビデオカメラで記録しても良く、音声をアナログ式のレコーダで記録しても良い（請求項６、１４に対応）。
【０１８８】
ｅ．ブライダルＷｅｂページ５の内容を格納したＣＤ- ＲＯＭを、結婚した二人等に提供する様にしても良い。
また、ブライダルＷｅｂページ５は、公開から所定期間（例えば、半年〜数年後）が過ぎると消去する様にしても良い。
【０１８９】
ｆ．イベントは、各種パーティー以外に、同窓会、ショー、演奏会、運動会等であっても良い（請求項９〜１７に対応）。
例えば、イベントがＨＩＤＥ小学校の運動会の場合を、図９、図１０に示す。
この場合には、高セキュリティが不要であるので、登録メールアドレスの入力欄には、学校を介して管理会社に登録されたE-Mailアドレスを入力して、認証操作を行う構成にしている。
【産業上の利用可能性】
【０１９０】
インターネットサーバ上に、ブライダルＷｅｂページやイベントＷｅｂページを容易に立ち上げることができ、結婚式やイベントの終了後に、早期に撮影画像を閲覧させることができる。
【図面の簡単な説明】
【０１９１】
【図１】本発明の実施例１、２に係るブライダルＷｅｂページ作成システム、および実施例３、４に係るイベントＷｅｂページ作成システムの構成を示す説明図である。
【図２】ブライダルＷｅｂページのログイン用のページの説明図である。
【図３】ブライダルＷｅｂページのページの説明図である。
【図４】速報画像を貼り付けたページの説明図である。
【図５】ブライダルＷｅｂページおよびイベントＷｅｂページ設置用のソフトウェアーの作動を示すフローチャートである。
【図６】本発明の実施例３、４に係るイベントＷｅｂページのログイン用のインデックスページの説明図である。
【図７】パーティー券および閲覧権の説明図である。
【図８】ログイン後のページの説明図である。
【図９】イベントが運動会の場合のイベントＷｅｂページのログイン用のインデックスページの説明図である。
【図１０】ログイン後のページの説明図である。
【符号の説明】
【０１９２】
Ａ、Ｂ  ブライダルＷｅｂページ作成システム
Ｃ、Ｄ  イベントＷｅｂページ作成システム
１  ＷＷＷサーバ（インターネットサーバ）
５  ブライダルＷｅｂページ
８  イベントＷｅｂページ
４３  ソフトウェアー（ドメイン名入力手段、ドメイン名取得手段、サーバ設定手段、雛型選択手段、オプション入力手段、Ｗｅｂページ作成手段、ディレクトリー名入力手段、ディレクトリー作成手段）
５２、５６、５７、５８  画像（デジタルデータ）
６８、６９、ｇ１、ｇ２、ｇ３  額縁画像（貼り付けスペース）
８１  インデックスページ
８２  テキスト入力フィールド（ＩＤコード入力欄）
８３  パーティー券（参加券）
８４  閲覧券
【図１】
2004213608.tif 000003
【図２】
2004213608.tif 000004
【図３】
2004213608.tif 000005
【図４】
2004213608.tif 000006
【図５】
2004213608.tif 000007
【図６】
2004213608.tif 000008
【図７】
2004213608.tif 000009
【図８】
2004213608.tif 000010
【図９】
2004213608.tif 000011
【図１０】
2004213608.tif 000012